(57)【要約】【課題】本考案は、遊戯機の台座を装飾し、また、台座の内部に設置された金箱装置を保護する機能を有する遊戯機の台座の構造を提供することを課題とする。【解決手段】台座内部に設置される金箱装置と、ディスプレー又は装飾用ランプケースが設置される頂面と、前記頂面の下方に設置されたドアと、前記ドアの後部に一体的に結合された少なくとも一の照明装置とを備えることにより、遊戯機が作動状態の際に、前記照明装置から光線が放射され、台座が装飾を得ることができ、前記ドアが遊戯機の台座の内部を外部から遮断する。【選択図】図２
0003113538.tif 000002
【実用新案登録請求の範囲】
【請求項１】
内部に金箱装置が設置され、頂面にディスプレーおよび装飾用ランプケースが設置される遊戯機の台座において、
前記台座の頂面の下方にドアが設けられ、
前記ドアの後部には少なくとも一つの照明装置が前記ドアと一体に結合し、
遊戯機が作動状態の際に、前記照明装置が光線を放射し、
且つ前記ドアは台座の内部を外部から遮断することを特徴とする遊戯機の台座の構造。
【請求項２】
前記台座の頂面の下方に矩形開口部が設けられ、
前記ドアが、前記矩形開口に枢着され、開閉可能であることを特徴とする、請求項１に記載の遊戯機の台座の構造。
【請求項３】
前記ドアが、
前記矩形開口の寸法に適合する外枠と、
前記外枠に取り付けられた透光板と、
前記外枠及び透光板の後部に取り付けられた照明装置を含むことを特徴とする、請求項２に記載の遊戯機の台座の構造。
【請求項４】
前記照明装置が、
反射マスクと、
前記反射マスクの前面に取り付けられたランプと、
前記照明装置を制御するための制御回路部材と、
を備えることを特徴とする、請求項１〜３の何れか一項に記載の遊戯機の台座の構造。
【請求項５】
前記外枠が、
一方に錠が設けられ、
他方の上下端に、前記矩形開口の枢着孔に枢着し、弾性を有する枢着ピンが設けられていることを特徴とする、請求項３又は４に記載の遊戯機の台座の構造。
【考案の詳細な説明】
【技術分野】
【０００１】
本考案は、遊戯機の台座の構造に関し、特に、遊戯機の台座を装飾し、台座の内部に設置された金箱装置を保護する、遊戯機の台座の構造に関する。
【背景技術】
【０００２】
遊戯機は、継続的にその遊戯が開発されないと、消費者の消費意欲を高めることができない。また、遊戯機の構造と視覚効果は、消費者の消費意欲を高める要素があり、一般的な遊戯機は、その構造と視覚効果に多様性をもたせている。例えば、遊戯機の中に、異なる色彩の光が点滅するランプ・ケースが使用されているものがある。
【０００３】
しかしながら、従来の遊戯機においては、台座は単にディスプレー及びランプケースが載せられるものでしかなく、台座自体の装飾性は不足している。また、遊戯機を使用する際には、お金を遊戯機に投入する必要があり、投入されたお金は、台座内部の金箱装置に集められる。従来の遊戯機においては、その金箱装置に対する盗難防止機能が不足している。
【考案の開示】
【考案が解決しようとする課題】
【０００４】
本考案の目的は、遊戯機の台座を装飾し、また、台座の内部に設置された金箱装置を保護する機能を有する遊戯機の台座の構造を提供することである。
【課題を解決するための手段】
【０００５】
前記課題を解決するため、本考案者は、鋭意研究を重ねた結果、内部に金箱装置が設置され、頂面にディスプレーおよび装飾用ランプケースが設置される遊戯機において、前記台座の帳面の下方にドアが設けられ、ドアの後部に少なくとも一つの照明装置がドアと一体に結合され、遊戯機が作動状態の際に照明装置が光線を放射し、前記ドアが台座の内部を外部から遮断することを特徴とする遊戯機の台座の構造を完成した。
【０００６】
すなわち、本考案の遊戯機の台座の構造は、以下よりなる。
１．内部に金箱装置が設置され、頂面にディスプレーおよび装飾用ランプケースが設置される遊戯機の台座において、
前記台座の頂面の下方にドアが設けられ、
前記ドアの後部には少なくとも一つの照明装置が前記ドアと一体に結合し、
遊戯機が作動状態の際に、前記照明装置が光線を放射し、
且つ前記ドアは台座の内部を外部から遮断することを特徴とする遊戯機の台座の構造。
２．前記台座の頂面の下方に矩形開口部が設けられ、
前記ドアが、前記矩形開口に枢着され、開閉可能であることを特徴とする、前項１に記載の遊戯機の台座の構造。
３．前記ドアが、前記矩形開口の寸法に適合する外枠と、
前記外枠に取り付けられた透光板と、
前記外枠及び透光板の後部に取り付けられた照明装置を含むことを特徴とする、前項２に記載の遊戯機の台座の構造。
４．前記照明装置が、
反射マスクと、
前記反射マスクの前面に取り付けられたランプと、
前記照明装置を制御するための制御回路部材と、
を備えることを特徴とする、前項１〜３の何れか一項に記載の遊戯機の台座の構造。
５．前記外枠が、
一方に錠が設けられ、
他方の上下端に、前記矩形開口の枢着孔に枢着し、弾性を有する枢着ピンが設けられていることを特徴とする、前項３又は４に記載の遊戯機の台座の構造。
【考案の効果】
【０００７】
本考案により、遊戯機の台座が装飾され、台座の内部に設置された金箱装置が保護される。
【考案を実施するための最良の形態】
【０００８】
以下に、本考案の遊戯機の台座の構造の一実施形態を示し、具体的に説明するが、本考案はこれらに限定されるものではない。
【０００９】
図１において、本考案の遊戯機の台座の構造は、内部に金箱装置が設置される台座１０を有し、台座１０はその上部に、ディスプレー又は装飾用ランプケースが設置される頂面１１を有する。
【００１０】
台座１０の頂面１１の下方にはドア２０が設けられ、ドア２０の後部には、少なくとも一つの照明装置３０がドア２０と一体に結合されており、遊戯機が作動状態の際には、照明装置３０が光線を放射する。また、ドア２０により、台座１０の内部は外部から遮断される。
【００１１】
図２〜図４において示されるように、台座１０の頂面１１の下部には矩形開口部１２が設けられ、ドア２０が、矩形開口部１２に枢着され、ドア２０を開閉することができる。
【００１２】
ドア２０は、矩形開口部１２にの寸法に合う外枠２１と、外枠２１に取り付けられた透光板２２と、外枠２１及び透光板２２の後部に取り付けられた照明装置３０とを含む。透光板２２は、光が透過可能な透明又は半透明な材料で作成されたものであり、表面に各種図柄が印刷され、ドア２０全体が装飾用ランプケースとなる。
【００１３】
照明装置３０は、反射マスク３１と、反射マスク３１の正面に取り付けられたランプ３２と、照明装置３０を制御するための制御回路部材３３とを含む。
【００１４】
外枠２１には、一方に錠２３が設けられ、他方の上下端に、矩形開口部１２の枢着孔１３に枢着し、弾性を有するピン２４、２５が設けられる。これによって、ドア２０は、枢着箇所を中心として旋回可能となる。
【００１５】
反射マスク３１は、鉛直片３４により外枠２１の裏面に取り付けられる。ランプ３２がベース３５によって反射マスク３１の裏面に取り付けられる。
【産業上の利用可能性】
【００１６】
本考案の遊戯機の台座の構造によれば、ドアの正面に発光効果が発生し、遊戯機自体の音声及び発光機能のみならず、遊戯機の下の台座からの発光機能を楽しむことができる。また、台座の内部に設置された集金装置は、ドアによって外部より遮断されているので、集金装置の盗難防止効果が期待できる。
【図面の簡単な説明】
【００１７】
【図１】本考案の遊戯機の台座の構造を示す斜視図である。
【図２】本考案の遊戯機の台座の構造を示す分解図である。
【図３】本考案の遊戯機の台座の構造のドアを示す分解図である。
【図４】本考案の遊戯機の台座の構造のドア及び台座を示す斜視図である。
【符号の説明】
【００１８】
１０  台座
１１  頂面
１２  矩形開口部
１３  枢着孔
２０  ドア
２１  外枠
２２  透光板
２３  錠
２４  ピン
２５  ピン
３０  照明装置
３１  反射マスク
３２  ランプ
３３  制御回路部材
３４  鉛直片
３５  ベース
【図１】
0003113538.tif 000003
【図２】
0003113538.tif 000004
【図３】
0003113538.tif 000005
【図４】
0003113538.tif 000006